(57)【要約】      （修正有）【課題】空気を充填することで単独で自立するクッションとして機能すると共に、小物を収納することができるエアクッションを提供する。【解決手段】少なくとも座位の状態を維持するエアクッション１であって、概略円柱状に形成された中空の第一本体２ａおよび第一本体と連続的に接続され、概略楕円柱状に形成された中空の第二本体２ｂを有し、内部に空気が充填されるクッション本体２と、第一本体の第二本体とは反対側の端部で、第一本体の概略径方向に延出し、延出方向とは逆方向に屈曲することで割座の形状に形成された一組の脚部３と、一組の脚部の間に設けられ、一端が開口し、他端が閉塞する二つの収容部５ａ、５ｂと、を備える。【選択図】図３
0003218650.tif 000002
【実用新案登録請求の範囲】
【請求項１】
少なくとも座位の状態を維持するエアクッションであって、
概略円柱状に形成された中空の第一本体および前記第一本体と連続的に接続され、概略楕円柱状に形成された中空の第二本体を有し、内部に空気が充填されるクッション本体と、
前記第一本体の前記第二本体とは反対側の端部で、前記第一本体の概略径方向に延出し、延出方向とは逆方向に屈曲する一組の脚部と、
前記第一本体における前記一組の脚部の間に設けられ、一端が開口し、他端が閉塞する収容部と、を備えることを特徴とするエアクッション。
【請求項２】
前記脚部は、割座の形状または三角座りの形状に形成されたことを特徴とする請求項１記載のエアクッション。
【請求項３】
前記一組の脚部は、中空であって、前記クッション本体と連続的に接続され、空気が充填されることを特徴とする請求項１または請求項２記載のエアクッション。
【請求項４】
前記収容部は、前記一組の脚部の間に設けられた単一の孔部または前記一組の脚部の延出方向に並置された二つの孔部から構成されていることを特徴とする請求項１から請求項３のいずれかに記載のエアクッション。
【請求項５】
前記クッション本体を被覆する第一のカバーさらに備えることを特徴とする請求項１から請求項４のいずれかに記載のエアクッション。
【請求項６】
前記脚部を被覆する第二のカバーをさらに備えることを特徴とする請求項１から請求項５のいずれかに記載のエアクッション。
【考案の詳細な説明】
【技術分野】
【０００１】
本考案は、少なくとも座位の状態を維持するエアクッションに関する。
【背景技術】
【０００２】
従来から、空気入りのクッションや空気入りの玩具が提案されている。例えば、特許文献１には、幼児を自転車に同乗させる際、幼児の安全を確保するために、座席に空気入りのクッションを付設する技術が開示されている。また、特許文献２には、ビニール、ゴム等の可撓性素材を用いて人体を型取った立体的人形が開示されている。この立体的人形では、表面は、プリント又は印刷により実物人体に近い色彩、模様を付すと共に、内部には空気やお湯等を収納自在としている。
【０００３】
特許文献３には、射精促進装置を取り付け可能なホルダが開示されている。このホルダは、表示部が設けられたカバー部材と、カバー部材内に収納されるクッション部材とを備えている。また、カバー部材およびクッション部材は、基部と、基部の下端部に連続して設けられた一対の延設部とからなり、クッション部材の基部には、両延設部の付け根間に位置する部位に、射精促進装置が設置される設置穴が内部へ向かって形成され、カバー部材の基部には、射精促進装置を露出する開口部が形成されている。
【先行技術文献】
【特許文献】
【０００４】
【特許文献１】特開平９−１０９９６１号公報
【特許文献２】特開平１０−１７７３６１号公報
【特許文献３】実用新案登録第３２１５５１４号明細書
【考案の概要】
【考案が解決しようとする課題】
【０００５】
しかしながら、特許文献１記載の技術では、自転車に設置することを目的とすることから、抱きつき機能を有するものの、収容部は有さず、また、単独で自立する機能を有しない。特許文献２記載の技術では、空気が充填され、単独で自立する機能を有するが、収容部を有しない。特許文献３記載の技術では、空気が充填され、一組の脚部を有し、収容部を有するが、単独で自立する機能を有さず、また、収容部は１つしか存在しない。
【０００６】
本考案は、このような事情に鑑みてなされたものであり、空気を充填することで単独で自立するクッションとして機能すると共に、小物を収納することができるエアクッションを提供することを目的とする。
【課題を解決するための手段】
【０００７】
（１）上記の目的を達成するために、本考案は、以下のような手段を講じた。すなわち、本考案のエアクッションは、少なくとも座位の状態を維持するエアクッションであって、概略円柱状に形成された中空の第一本体および前記第一本体と連続的に接続され、概略楕円柱状に形成された中空の第二本体を有し、内部に空気が充填されるクッション本体と、前記第一本体の前記第二本体とは反対側の端部で、前記第一本体の概略径方向に延出し、延出方向とは逆方向に屈曲する一組の脚部と、前記第一本体における前記一組の脚部の間に設けられ、一端が開口し、他端が閉塞する収容部と、を備えることを特徴とする。
【０００８】
このように、第一本体の第二本体とは反対側の端部で、前記第一本体の概略径方向に延出し、延出方向とは逆方向に屈曲する一組の脚部を備えるので、少なくとも座位の状態を維持することが可能となる。また、クッション本体を横に倒すことによって、抱き枕として使用することも可能となる。また、第一本体における一組の脚部の間に設けられ、一端が開口し、他端が閉塞する収容部を備えるので、カイロを収納することでクッション本体を温めたり、保冷剤を収納することでクッション本体を冷やしたりすることができる。また、タオルや手ぬぐい、スマートフォンや目覚まし時計などを収納しておくことも可能となる。
【０００９】
（２）また、本考案のエアクッションにおいて、前記脚部は、割座の形状または三角座りの形状に形成されたことを特徴とする。
【００１０】
このように、脚部は、割座の形状または三角座りの形状に形成されたので、座位の状態を維持することが可能となる。
【００１１】
（３）また、本考案のエアクッションにおいて、前記一組の脚部は、中空であって、前記クッション本体と連続的に接続され、空気が充填されることを特徴とする。
【００１２】
このように、クッション本体のみならず、一組の脚部も中空であり、クッション本体と連続的に接続されて、空気が充填されるため、全体の軽量化が図られると共に、一つの空気注入口からクッション全体へ空気を充填させることが可能となる。
【００１３】
（４）また、本考案のエアクッションにおいて、前記収容部は、前記一組の脚部の間に設けられた単一の孔部または前記一組の脚部の延出方向に並置された二つの孔部から構成されていることを特徴とする。
【００１４】
このように、二つの収容部は、一組の脚部の間で一組の脚部の延出方向に並置されているので、収容物に応じて使い分けることが可能となる。
【００１５】
（５）また、本考案のエアクッションは、前記クッション本体を被覆する第一のカバーさらに備えることを特徴とする。
【００１６】
このように、第一のカバーを備えるので、触り心地を向上させたり、清潔感を維持したりすることが可能となる。なお、カバーに図柄や似顔絵などを表示することで、ユーザーに愛着を感じさせることも可能となる。
【００１７】
（６）また、本考案のエアクッションは、前記脚部を被覆する第二のカバーをさらに備えることを特徴とする。
【００１８】
このように、第二のカバーを備えるので、見栄えを良くしたり、触り心地を向上させたり、清潔感を維持したりすることが可能となる。
【考案の効果】
【００１９】
本考案によれば、少なくとも座位の状態を維持することが可能となる。また、クッション本体を横に倒すことによって、抱き枕として使用することも可能となる。また、二つの収容部を備えるので、カイロを収納することでクッション本体を温めたり、保冷剤を収納することでクッション本体を冷やしたりすることができる。また、タオルや手ぬぐい、スマートフォンや目覚まし時計などを収納しておくことも可能となる。
【図面の簡単な説明】
【００２０】
【図１】本実施形態に係るエアクッションを正面から表した図である。
【図２】本実施形態に係るエアクッションを背面から表した図である。
【図３】本実施形態に係るエアクッションを側面から表した図である。
【図４】本実施形態に係るエアクッションを底面から表した図である。
【図５】本実施形態に係るエアクッションを底面から表した図である。
【図６】本実施形態に係るエアクッションの底面を拡大した図である。
【図７】本実施形態に係るエアクッションにカバーを被せる様子を示す図である。
【図８】本実施形態に係るエアクッションを正面から表した図である。
【図９】本実施形態に係るエアクッションを側面から表した図である。
【図１０】本実施形態に係るエアクッションを背面から表した図である。
【図１１】本実施形態に係るエアクッションを底面から表した図である。
【考案を実施するための形態】
【００２１】
本考案者は、従来の空気入りのクッションや空気入りの玩具に対して、単独で自立する機能と収容機能とを同時に持たせることによって、利便性の高いエアクッションを実現できることを見出し、本考案に至った。すなわち、本考案のエアクッションは、少なくとも座位の状態を維持するエアクッションであって、概略円柱状に形成された中空の第一本体および前記第一本体と連続的に接続され、概略楕円柱状に形成された中空の第二本体を有し、内部に空気が充填されるクッション本体と、前記第一本体の前記第二本体とは反対側の端部で、前記第一本体の概略径方向に延出し、延出方向とは逆方向に屈曲する一組の脚部と、前記第一本体における前記一組の脚部の間に設けられ、一端が開口し、他端が閉塞する収容部と、を備えることを特徴とする。
【００２２】
これにより、本考案者らは、少なくとも座位の状態を維持することが可能とし、また、クッション本体を横に倒すことによって、抱き枕として使用することを可能とした。さらに収容機能によって利便性を高めることを可能とした。以下、本考案の実施形態について、図面を参照しながら具体的に説明する。
【００２３】
［第１の実施形態］
図１は、本実施形態に係るエアクッションを正面から表した図であり、図２は、本実施形態に係るエアクッションを背面から表した図であり、図３は、本実施形態に係るエアクッションを側面から表した図である。また、図４は、本実施形態に係るエアクッションを底面から表した図であり、図５は、本実施形態に係るエアクッションを底面から表した図であり、図６は、本実施形態に係るエアクッションの底面を拡大した図である。
【００２４】
本実施形態に係るエアクッション１は、概略円柱状に形成された中空の第一本体２ａおよび第一本体２ａと連続的に接続され、概略楕円柱状に形成された中空の第二本体２ｂを有し、内部に空気が充填されるクッション本体２を備えている。
【００２５】
クッション本体２の第一本体２ａの第二本体２ｂとは反対側の端部には、第一本体２ａの概略径方向に延出し、延出方向とは逆方向に屈曲することで割座の形状に形成された一組の脚部３が設けられている。これにより、少なくとも座位の状態を維持することが可能となる。また、クッション本体２を横に倒すことによって、抱き枕として使用することも可能となる。
【００２６】
また、図３から図６に示すように、第一本体２ａにおける一組の脚部３の間には、一端が開口し、他端が閉塞する二つの収容部５ａ、５ｂが設けられている。二つの収容部５ａ、５ｂは、一組の脚部３の間で一組の脚部３の延出方向に並置される。すなわち、図４から図６に示すように、二つの収容部５ａ、５ｂは、各紙面に対して、上下方向に並置されている。これにより、収容物に応じて使い分けることが可能となる。
【００２７】
収容部５ａ、５ｂの形状と大きさは特に限定されないが、本実施形態では、収容部５ａを相対的に小型の孔状に形成し、収容部５ｂを相対的に大型の孔状に形成した。図４から図６に示すように、収容部５ａの外観形状は「円」であり、収容部５ｂの外観形状は「楕円」である。各収容部５ａ、５ｂの深部の形状と大きさは特に限定されないが、円筒状に形成することも可能である。クッション本体２に空気を充填することによって、各収容部５ａ、５ｂの深部は内圧で円筒がつぶれた状態となるが、収容対象物を収容する点では不都合はない。
【００２８】
各収容部５ａ、５ｂにカイロを収納することでクッション本体２を温めたり、保冷剤を収納することでクッション本体２を冷やしたりすることができる。また、タオルや手ぬぐい、スマートフォンや目覚まし時計などを収納しておくことも可能となる。さらに、射精促進器を収容部５ａ、５ｂの一方、または両方に収容させることも可能である。
【００２９】
図７は、本実施形態に係るエアクッションに第一のカバーおよび第二のカバーを被せる様子を示す図である。すなわち、本実施形態に係るエアクッション１は、クッション本体２を被覆する第一のカバー５と、一組の脚部３を被覆する第二のカバー７とをさらに備える。このように、第一のカバー５と第二のカバー７とを備えるので、触り心地を向上させたり、清潔感を維持したりすることが可能となる。なお、第一のカバー５に図柄や似顔絵などを表示することで、ユーザーに愛着を感じさせることも可能となる。また、第二のカバー７を、いわゆる「オーバーニーソックス」の形状にすることも可能である。
【００３０】
［第２の実施形態］
図８は、本実施形態に係るエアクッションを正面から表した図であり、図９は、本実施形態に係るエアクッションを側面から表した図であり、図１０は、本実施形態に係るエアクッションを背面から表した図である。また、図１１は、本実施形態に係るエアクッションを底面から表した図である。
【００３１】
本実施形態に係るエアクッション１０は、概略円柱状に形成された中空の第一本体１２ａおよび第一本体１２ａと連続的に接続され、概略楕円柱状に形成された中空の第二本体１２ｂを有し、内部に空気が充填されるクッション本体１２を備えている。
【００３２】
クッション本体１２の第一本体１２ａの第二本体１２ｂとは反対側の端部には、第一本体１２ａの概略径方向に延出し、延出方向とは逆方向に屈曲することで、三角座りの形状に形成された一組の脚部１３が設けられている。これにより、少なくとも座位の状態を維持することが可能となる。また、クッション本体１２を横に倒すことによって、抱き枕として使用することも可能となる。
【００３３】
また、図１１に示すように、第一本体１２ａにおける一組の脚部１３の間には、一端が開口し、他端が閉塞する単一の収容部１５が設けられている。収容部１５の形状と大きさは特に限定されない。本実施形態では、図１１に示すように、収容部１５の外観形状は「楕円」である。収容部１５の深部の形状と大きさは特に限定されないが、円筒状に形成することも可能である。クッション本体１２に空気を充填することによって、収容部１５の深部は内圧で円筒がつぶれた状態となるが、収容対象物を収容する点では不都合はない。
【００３４】
収容部１５にカイロを収納することでクッション本体１２を温めたり、保冷剤を収納することでクッション本体１２を冷やしたりすることができる。また、タオルや手ぬぐい、スマートフォンや目覚まし時計などを収納しておくことも可能となる。さらに、射精促進器を収容部１５に収容させることも可能である。
【００３５】
以上説明したように、本実施形態に係るエアクッションによれば、少なくとも座位の状態を維持することが可能となる。また、クッション本体を横に倒すことによって、抱き枕として使用することも可能となる。また、収容部を備えるので、カイロを収納することでクッション本体を温めたり、保冷剤を収納することでクッション本体を冷やしたりすることができる。また、タオルや手ぬぐい、スマートフォンや目覚まし時計などを収納しておくことも可能となる。
【符号の説明】
【００３６】
１  エアクッション
２  クッション本体
２ａ  第一本体
２ｂ  第二本体
３  脚部
５ａ  収容部
５ｂ  収容部
５  第一のカバー
７  第二のカバー
１０  エアクッション
１２  クッション本体
１２ａ  第一本体
１２ｂ  第二本体
１３  脚部
１５  収容部
【図１】
0003218650.tif 000003
【図２】
0003218650.tif 000004
【図３】
0003218650.tif 000005
【図４】
0003218650.tif 000006
【図５】
0003218650.tif 000007
【図６】
0003218650.tif 000008
【図７】
0003218650.tif 000009
【図８】
0003218650.tif 000010
【図９】
0003218650.tif 000011
【図１０】
0003218650.tif 000012
【図１１】
0003218650.tif 000013